(57)【要約】【課題】発光器具の存在を意識させない演出的発光を行う。【解決手段】この発光パネルは、照明光を透過させる出光面を備えた本体部と、本体部の側面から照明光を照射する光源部とを備える。出光面は、光源部に近接する第１領域と、第１領域よりも前記光源部から遠い位置にある第２領域とを備える。出光面の透過率は、少なくとも第２領域において、光源部から離れるに従って減少する。【選択図】図１
2019067553.tif 000002
【特許請求の範囲】
【請求項１】
照明光を透過させる出光面を備えた本体部と、
前記本体部の側面から照明光を照射する光源部と、
を備え、
前記出光面は、
前記光源部に近接する第１領域と、
前記第１領域よりも前記光源部から遠い位置にある第２領域と、
を備え、
前記出光面の透過率は、
少なくとも前記第２領域において、前記光源部から離れるに従って減少する
ことを特徴とする発光パネル。
【請求項２】
前記出光面の透過率は、前記第１領域において、前記光源部から離れるに従って増加する、請求項１記載の発光パネル。
【請求項３】
前記出光面の透過率は、前記第１領域の前記光源部の側の端部においてゼロよりも大きい値である、請求項２記載の発光パネル。
【請求項４】
前記第１領域と前記第２領域との間に位置する中間領域を更に備え、
前記中間領域での前記出光面の透過率は位置に拘わらず略一定である、請求項２又は３に記載の発光パネル。
【請求項５】
前記出光面の透過率は、前記第１領域の前記光源部の側の端部においてゼロよりも大きい値である、請求項４記載の発光パネル。
【請求項６】
前記出光面は、前記照明光を透過させる透過部と、前記照明光を反射させる第１反射部とを備える、請求項１記載の発光パネル。
【請求項７】
前記本体部は、前記出光面と対向して配置され前記照明光を反射させる第２反射部を更に備える、請求項６記載の発光パネル。
【請求項８】
前記本体部は、前記照明光の進行方向に配置される後部側板を更に備え、前記後部側板の反射率は前記第２反射部の反射率よりも小さい、請求項７記載の発光パネル。
【請求項９】
前記出光面の透過率は、前記第１領域において、前記光源部から離れるに従って増加する、請求項６〜８のいずれか１項に記載の発光パネル。
【請求項１０】
前記出光面の透過率は、前記第１領域の前記光源部の側の端部においてゼロよりも大きい値である、請求項９記載の発光パネル。
【請求項１１】
前記第１領域と前記第２領域との間に位置する中間領域を更に備え、
前記中間領域での前記出光面の透過率は位置に拘わらず略一定である、請求項９又は１０に記載の発光パネル。
【請求項１２】
前記出光面の透過率は、前記第１領域の前記光源部の側の端部においてゼロよりも大きい値である、請求項１１記載の発光パネル。
【発明の詳細な説明】
【技術分野】
【０００１】
本発明は、発光パネルに関する。
【背景技術】
【０００２】
発光パネルとして、いわゆるエッジライト型の発光パネルが知られている（例えば、特許文献１参照）。エッジライト型の発光パネルは、例えば、光を反射する反射板を少なくとも一部に含む本体部を備え、本体部の側面からＬＥＤなどの照明光を本体部の内部に導入するよう構成されている。
室内照明においては、電気的な効率のみならず、心理・生理的に望ましい効果を与える演出的発光が求められている。この演出的発光においては、発光器具の存在を意識させないことが望ましく、そのために光が出る部分と、光が出ない部分との境界において明るさの変化が少ないことが望まれる。
【先行技術文献】
【特許文献】
【０００３】
【特許文献１】国際公開第２０１１／１５５５３７号公報
【発明の概要】
【０００４】
本発明の一実施形態に係る発光パネルは、照明光を透過させる出光面を備えた本体部と、本体部の側面から照明光を照射する光源部とを備える。出光面は、光源部に近接する第１領域と、第１領域よりも前記光源部から遠い位置にある第２領域とを備える。出光面の透過率は、少なくとも第２領域において、光源部から離れるに従って減少する。
【０００５】
本発明によれば、出光面の輝度が、光源部から離れた端部に向かうに従って減少するので、発光器具の存在を意識させない演出的発光を実現できる。
【図面の簡単な説明】
【０００６】
【図１】第１の実施の形態に係る発光パネル１０の概略構成を示す。
【図２】出光面４０の平面図の一例である。
【図３】開口率の距離による変化を示すグラフの一例である。
【図４】図３の開口率を有する出光面４０の輝度の分布を示すグラフである。
【図５】出光面４０の開口率の変化の例を示すグラフである。
【図６】出光面４０の開口率の変化の例を示すグラフである。
【図７】出光面４０の開口率の変化の例を示すグラフである。
【図８】出光面４０の開口率の変化の例を示すグラフである。
【図９】図８の例に従った、具体的な出光面４０の設計例を示している。
【図１０】図９の設計例における、出光面４０における光源部３０からの距離と、その位置における輝度との関係を示すグラフである。
【図１１】第２の実施の形態に係る発光パネル１０の概略構成を示す。
【図１２】第３の実施の形態に係る発光パネル１０の概略構成を示す。
【発明を実施するための形態】
【０００７】
以下、添付図面を参照して本実施形態について説明する。添付図面では、機能的に同じ要素は同じ番号で表示される場合もある。なお、添付図面は本開示の原理に則った実施形態と実装例を示しているが、これらは本開示の理解のためのものであり、決して本開示を限定的に解釈するために用いられるものではない。本明細書の記述は典型的な例示に過ぎず、本開示の特許請求の範囲又は適用例を如何なる意味においても限定するものではない。
【０００８】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【０００９】
［第１の実施形態］
まず、第１の実施の形態に係る発光パネル１０を、図１の概略斜視図を参照して説明する。
図１に示すように、この発光パネル１０は、一例として、本体部２０、光源部３０、及び出光面４０を有する。本実施形態に係る発光パネル１は、例えば、ベース照明（図示せず）とは別に空間演出用の照明として用いられる。そのため、発光パネル１０の明るさはベース照明の明るさよりも低く設定されていてもよい。
【００１０】
本体部２０は、後述する光源部３０、及び出光面４０とともに、例えば内部が中空である、矩形状のケースを形成する。すなわち、矩形状のケースを構成する６つの面のうち、４面が本体部２０により提供され、残りの２面（前部側板、上板）が光源部３０及び出光面４０により提供される。本体部２０の内部は、上記のように空気等の気体に満たされて中空であってもよいし、透明な樹脂等の固体に満たされていてもよい。
本体部２０は、左側板２１、右側板２２、後部側板２３、及び底板２４を備える。左側板２１及び右側板２２は、光源部３０の発光部から射出される光の進行方向に沿うように配置されている。後部側板２３は、光源部３０の発光部の照明光の進行方向において、光源部３０の発光部に対面するように配置されている。左側板２１、右側板２２、後部側板２３、及び底板２４のうち、少なくとも底板２４は、光源部３０の発光部から射出される光を所定値以上の反射率（例えば９８％）で反射させる反射面を有する。これにより、出光面４０からの光取出し効率を高めることができる。反射角度特性は、鏡面反射、拡散反射、あるいは両者の混合のいずれでもよい。左側板２１、右側板２２、後部側板２３の反射率は、任意の値とすることができる。ただし、後部側板２３の反射率は、出光面４０の光源部３０とは反対側の端部の輝度を低く抑えるため、底板２４の反射率よりも低い値、例えば５％程度に設定してもよい。
【００１１】
光源部３０は、例えば図１に示すように、プリント基板３１上に横方向（Ｙ方向）に配置された複数個の発光ダイオード（ＬＥＤ）３２を備える。このプリント基板３１が、本体部２０の前部側面に取り付けられ、前述の矩形状のケースの一部を構成する。複数個の発光ダイオード３２は、本体部２０の中空部に向けて光を照射させる。なお、発光ダイオードに代えて、レーザダイオード、蛍光灯、ＥＬ（有機や無機のＥＬであってもよい）など他の光源を用いることもできる。また、発光ダイオードを含む光源は、白色光を発光させるものであってもよいし、単色光を発光するものであってもよい。また、複数の発光ダイオード３２が、それぞれ異なる波長の光を発するように構成されていてもよい。また、発光色や発光強度が可変できる光源を用いてもよい。
【００１２】
出光面４０は、底板２４と同様に、光源部３０の発光ダイオード３２から射出される光を所定値以上の反射率で反射させる反射面を有する。加えて、出光面４０は、光源部３０から射出させる光を通過（透過）させる開口部Ａｐを備えている。なお、本実施形態では、光の通路として開口部Ａｐを示しているが、これに限定されない。例えば、出光面４０の開口部Ａｐに対応する部分の透過率が、その残りの部分の透過率よりも高く設定され、光の通路として機能させる態様であってもよい。発光ダイオード３２から射出される光は、出光面４０（第１反射部）と、出光面４０と対向する反射面である底板２４（第２反射部）との間で反射を繰り返し、開口部Ａｐを通過して出射光として外部に照射される。すなわち、開口部Ａｐは、照明光を透過させる透過部として機能し、出光面４０のその他の部分は、照明光を反射させる反射部として機能する。
この開口部Ａｐが出光面４０において占める面積の割合（開口率）は、後述するように、出光面４０の位置によって異なる。この第１の実施の形態においては、開口部Ａｐの開口率は、出光面４０の単位面積当たりで開口部Ａｐが占める割合により表現され得る。開口率が大きくなると、出光面４０における光の透過率はこれに比例して大きくなる。すなわち、開口率を調整することは、光の透過率を調整することと同義であり、この第１の実施の形態は、開口率を場所によって異ならせることで、出光面４０における透過率を場所によって異ならせるものである。ここで、「透過率」とは、出光面４０の裏面の単位面積当たりに到達する光のうち、出光面４０を通過して本体部２０の外部に照射される光の割合である。透過率は、日本分光（株）社製の紫外可視近赤外分光光度計Ｖ−６７０を用い、垂直入射の条件において、３８０ｎｍ〜７８０ｎｍの波長域における分光透過率を複数回測定し、それらの平均を算出した。
【００１３】
一例として、出光面４０が第１領域Ｒ１、中間領域Ｒｍ、及び第２領域Ｒ２を備える場合（図１参照）、各領域で開口部Ａｐの開口率（又は透過率）が異なっており、特に第２領域Ｒ２は、開口率（又は透過率）が光源部３０から離れるに従って減少する。また、１つの領域の中においても、開口率を位置によって異なるものとすることができる。なお、複数の領域の境界に関して制限はない。第１領域Ｒ１は、光源部３０と近接する領域であり、第２領域Ｒ２は、光源部３０から最も離れた領域であり、中間領域Ｒｍは、第１領域Ｒ１と第２領域Ｒ２の間に挟まれる領域である。これらの領域の名称はあくまでも例であり、領域の種類は３つに制限されず、３つより大きい数でも、小さい数（２）でもよい。また、３つの領域の境界や大きさ、形状などについても制限はない。
【００１４】
図２〜図４を参照してさらに詳しく説明する。
図２は、出光面４０の平面図の一例である。前述のように、出光面４０は、少なくとも底板２４と対向する面において、光源部３０から射出させる光を所定値以上の反射率で反射させる反射面を有する。
【００１５】
出光面４０は、光源部３０からの光を通過させる開口部Ａｐを備えているが、その開口部Ａｐが占める面積は各領域で異なっている。図３は、開口率の距離による変化を示すグラフの一例である。図３のグラフは、光源部３０からの距離と、開口率との関係を示している。この図３の例では、第１領域Ｒ１においては、開口率は光源部３０から離れるに従って徐々に増加する。中間領域Ｒｍにおいては、第１領域Ｒ１における開口率の傾きよりも小さく、例えば、第１領域Ｒ１で増加した開口率が、位置によらず略一定とされる。第２領域Ｒ２においては、光源部３０から離れるに従って開口率は減少する。
【００１６】
開口率は、本体部２０の内部を導光する光のうち、開口部Ａｐを通って外部へ放出される光の比率に比例する。従って、開口率が大きい箇所は出光面４０の輝度が高まるとともに、本体部２０の内部での導光量が減少する。従って、この図３の開口部Ａｐの構成によれば、出光面４０の輝度（相対輝度）の分布は、例えば図４のようになる。第１領域Ｒ１においては、光源部３０側の端部付近で輝度が最も大きい一方で、光源部３０から離れるに従って輝度は減少する。このとき開口率は増加しているため、光源に近い側での導光量の減衰を抑えるとともに放出効率を増加するため、出光面４０の輝度の減少を抑える、すなわち発光領域を延ばす効果がある。図３に、開口率の増加がなく場所によらず一定である比較例１を示す。図４に示すように、この比較例１では、出光面４０の輝度の減少カーブ（傾き）が大きくなるが、本実施の形態の場合、傾きが小さく、発光領域を延ばすことができる。
中間領域Ｒｍにおいても光源部３０から離れるに従って輝度は減少する。また、第２領域Ｒ２においては、開口率は光源部３０から離れるに従って減少するため、その輝度も、光源から離れるに従ってより減少し、第２領域Ｒ２の光源部３０とは反対側の端部付近では、輝度はゼロに近づく（グラフの横軸に漸近する）。図３に、中間領域Ｒｍ以降において開口率の減少のない比較例２を示す。図４に示すように、この比較例２では、第２領域Ｒ２の光源部３０とは反対側の端部付近でも、輝度はゼロとならない。このように、第２領域Ｒ２において、開口率を光源部３０から離れるに従って減少させる構成は、出光面４０での輝度を自然に減少させ、発光器具の存在を意識させない演出的発光を実現することができるという効果を与える。
【００１７】
このように、第１の実施の形態の発光パネル１０は、その出光面４０における輝度が、光源部３０から離れるに従って比較的小さな減少率で減少し、光源部３０の反対側の端部（第２領域Ｒ２の端部）では非常に小さい値（例えばゼロ）になるように、開口部Ａｐの開口率が設定されている。このような輝度調整が行われることにより、出光面４０が与える照明は、光源部３０から反対側の端部に向かうに従って徐々に（段階的に）暗くなる照明とされる（換言すれば、グラデーションを与えられた照明となる）。このような照明は、発光器具の存在を意識させない演出的発光となり得る。
従来、このような発光パネルを例えば室内照明の光源として使用する場合、発光パネルの出光面の輝度を出光面全体に亘り均一にすることが一般に求められていた（例えば、上記特許文献１参照）。しかし、そのような輝度が出光面全体に亘り均一である発光パネルは、照明の下にいる人間にとって、必要以上に意識させ、心理的又は精神的なストレスとなることがあり得る。
【００１８】
これに対し、本実施の形態の発光パネル１０は、光源部３０とは反対側の第２領域Ｒ２において徐々にその輝度が小さくなり、その端部では例えばゼロとなる。これにより、発光パネル１０の照明下にいる人間は、発光パネル１０の輪郭を視認せず、光の明暗の境界を明確には認識しないことになる。このような照明は発光器具の存在を意識させない演出的発光となり、特に夜間などにおいて、人に与える心理的又は精神的ストレスを軽減することができる。
【００１９】
なお、図２の例では、１つの開口部Ａｐの直径Ｄａｐを配置位置によって異ならせることにより、開口率に変化を与えている。これに替えて、１つの開口部Ａｐの直径自体は、配置位置にかかわらず同一とし、単位面積当たりの開口部Ａｐの数に変化を与えることにより、開口率を変化させることも可能である。
【００２０】
図５〜図８は、出光面４０の開口率の変化の例を示すグラフである。なお、図５〜８のグラフでは、輝度を規格化した規格化輝度を縦軸に表示している。この図５〜図８での規格化輝度は、光源部３０近傍の出光面４０の端部における輝度を基準とした相対的な輝度を示すものである。また、この図５〜図８は、出光面４０の長さ（光の進行方向に沿った長さ）が２００ｍｍであると想定した場合のグラフを示している。
図５は、第１領域Ｒ１及び中間領域Ｒｍでは開口率を略一定（図５では５０％）とし、第２領域Ｒ２において開口率が端部に向かうに従って減少し、最後にはゼロとなる例を示している。第２領域Ｒ２において開口率が光源部３０から離れるに従って減少する点は図３の例と同一であるが、第１領域Ｒ１においても開口率が略一定とされている点で、図３の例とは異なっている。
【００２１】
この図５の構成によれば、第１領域Ｒ１において開口率が略一定とされているため、出光面４０の輝度は、第１領域Ｒ１においては、光源部３０側の端部で高い輝度である一方、中間領域Ｒｍに向かうに従って急激に減少する。中間領域Ｒｍでは、第１領域Ｒ１と中間領域Ｒｍの境界付近でも輝度は非常に低くなっており、更に第２領域Ｒ２に向かうに従ってさらに低下する。第２領域Ｒ２でも同様に、光源部３０から離れるに従って出光面４０の輝度は低下し、光源部３０と反対側の端部ではゼロに近づく。
【００２２】
この図５の例では、第１領域Ｒ１において開口率が略一定にされていることから、出光面４０における輝度は第１領域Ｒ１においても急激に低下する。しかし、図３の例と同様に、第２領域Ｒ２で開口率が徐々に低下するため、出光面４０の輝度は、第２領域Ｒ２において徐々にゼロに近い値に近づいていく。このため、この図５の例は、図３の例と同様に、発光器具の存在を意識させない演出的発光を提供することができる。
【００２３】
図６は、第１領域Ｒ１において、開口率が低い値（図６の例ではゼロ）から光源部３０から離れるに従って増加し、中間領域Ｒｍでも同様に光源部３０から離れるに従って増加し、第２領域Ｒ２においては開口率が端部に向かうに従って減少し、最後にはゼロとなる例を示している。なお、中間領域Ｒｍにおける開口率の変化は、第１領域Ｒ１における開口率の変化よりも大きくてもよいし、等しくてもよいし、小さくてもよい。第２領域Ｒ２において開口率が光源部３０から離れるに従って減少する点は図３及び図５の例と同一であるが、中間領域Ｒｍにおいても開口率が光源部３０から離れるに従って増加している点で、図３及び図５の例とは異なっている。
【００２４】
この図６の構成によれば、第１領域Ｒ１及び中間領域Ｒｍの両方において開口率が光源部３０から離れるに従って増加する。このため、出光面４０の輝度（図６では、規格化輝度）は、第１領域Ｒ１においては、光源部３０側の端部近くではいったん増加してピーク（Ｐ）に達し、その後下降に転じる。しかし、開口率が第１領域Ｒ１及び中間領域Ｒｍの全体に亘り増加する構成であるため、第１領域Ｒ１における出光面４０の輝度の下降の程度（傾き）は、図５の例に比べ緩やかである（傾きが小さい）。
中間領域Ｒｍでも同様に、開口率が中間領域Ｒｍの全体に亘って光源部３０から離れるに従って増加する構成とされているため、中間領域Ｒｍにおける輝度も、その低下の程度（傾き）は、図５の例に比べ緩やかにされている。中間領域Ｒｍと第２領域Ｒ２との境界付近での輝度が高くされているため、第２領域Ｒ２の輝度も、図５の例に比べ高い。
【００２５】
この図６の例では、第１領域Ｒ１及び中間領域Ｒｍにおいて開口率が光源部３０から離れるに従って増加する構成とされていることから、第１領域Ｒ１及び中間領域Ｒｍにおいて輝度の低下の程度が低く抑えられ、このため、輝度の高い部分を図５の例に比べ長く延ばすことが可能とされている。具体的には、図５の例では、出光面４０の規格化輝度が０．５になるのが光源部３０から２０ｍｍの位置と短いのに対し、図６の例では、出光面４０の規格化輝度が０．５になるのが光源部３０から９０ｍｍの位置であり、輝度の高い部分の長さを長くすることができる。
図３及び図５の例と同様に、第２領域Ｒ２で開口率が徐々に低下するため、出光面４０の輝度は、第２領域Ｒ２において徐々にゼロに近い値に近づいていく。このため、この図６の例は、図３の例と同様に、発光器具の存在を意識させない演出的発光を提供することができる。
【００２６】
図７は、図６と同様に、第１領域Ｒ１及び中間領域Ｒｍの両方で開口率が光源部３０から離れるに従って増加し、第２領域Ｒ２においては開口率が端部に向かうに従って減少し、最後にはゼロとなる例を示している。ただし、この図７の例では、第１領域Ｒ１の光源部３０側の端部（グラフのＹ軸切片の値）においても、開口率はゼロよりも大きい値（例えば１０％）とされている。
【００２７】
この図７の例では、出光面４０の輝度の変化は、図６の例と略同一であるが、開口率が第１領域Ｒ１の光源部３０側の端部でもゼロよりも大きい値とされ、このため、第１領域Ｒ１及び中間領域Ｒｍでの開口率の増加の度合（傾き）は、図６の場合に比べ小さい。このため、出光面４０の輝度のグラフは、第１領域Ｒ１においても終始その傾きは負であり、この点、一旦輝度が光源部３０から離れるに従って増加するカーブを描く図６とは異なっている（ピークＰはない）。ピークＰがない分、出光面４０の輝度のグラフは、第２領域Ｒ２においては、図６の場合に比べ緩やかにゼロ近くの値に向け収束するカーブとなる（横軸に漸近する）。ピークＰの存在は、出光面４０の発光の見栄えを劣化させることがあるが、図７の例では、ピークＰをなくして出光面４０の輝度の変化を少なくすることができ、出光面４０の見栄えを向上させることができる。このため、この図７の例は、図６の例に比べ、出光面４０における自然な輝度分布を与えることができ、一層、発光器具の存在を意識させない演出的発光を提供することができる。
【００２８】
図８は、第１領域Ｒ１において、開口率が低い値（図８の例では１０％）から光源部３０から離れるに従って増加し、中間領域Ｒｍは略一定値に維持され、第２領域Ｒ２においては開口率が端部に向かうに従って減少し、最後にはゼロとなる例を示している。第２領域Ｒ２において開口率が光源部３０から離れるに従って減少する点は図３、図５、図６、及び図７の例と同一であり、第１領域Ｒ１において開口率が光源部３０から離れるに従って増加する点は図６及び図７の例と同一である。ただし、中間領域Ｒｍにおいて開口率が略一定に維持されている点で、図６及び図７の例とは異なっている。
【００２９】
この図８の例では、第１領域Ｒ１において開口率が光源部３０から離れるに従って増加し、中間領域Ｒｍでも下降せず略一定値に維持される構成とされていることから、図７の例と同様に、第１領域Ｒ１、中間領域Ｒｍにおいて輝度の低下の程度が低く抑えられ、このため、輝度の高い部分を図５の例に比べ長く延ばすことが可能とされている。また、前述の例と同様に、第２領域Ｒ２で開口率が徐々に低下するため、出光面４０の輝度は、第２領域Ｒ２において徐々にゼロに近い値に近づいていく。このため、この図８の例は、図７の例と同様に、発光器具の存在を意識させない演出的発光を提供することができる。
なお、図８の例において、開口率の変化曲線の縦軸との切片の値をゼロにすることも可能である。
【００３０】
図９は、図８の例に従った、具体的な出光面４０の設計例を示している。この設計例では、出光面４０の寸法は、６００ｍｍ×２００ｍｍ×５ｍｍを想定する。また、開口部Ａｐは円形であり、その配列ピッチは配置位置に拘わらず５ｍｍであり、その直径が配置位置により異なるものと想定する。この場合、開口率は５ｍｍ角の正方形の面積に対する開口部Ａｐの円の面積で与えられる。開口部Ａｐの直径が変更されることにより、開口率に変化が与えられる。
【００３１】
出光面４０の開口率は、図９に示すように、第１領域Ｒ１の光源部３０側の端部で２０％であり、光源部３０から離れるほど増加し、中間領域Ｒｍとの境界では５０％に達する。中間領域Ｒｍ内では、開口率は位置に拘わらず５０％で略一定に維持される。また、第２領域Ｒ２では、中間領域Ｒｍとの境界付近では開口率は５０％であるが、光源部３０から離れるほど開口率は減少し、光源部３０と反対側の端部では０％とされる。
【００３２】
この図９の設計例における、出光面４０における光源部３０からの距離と、その位置における輝度との関係を、図１０のグラフに示す。出光面４０の輝度は、図８の例の場合と同様に、光源部３０側の第１領域Ｒ１の端部から単調に減少し、第２領域Ｒ２では光源部３０から離れるほど減少し、徐々にゼロに近づき端部ではゼロとなる。このような輝度の変化を与えることにより、発光パネル１０の照明は、発光器具の存在を意識させない演出的発光となり得る。
【００３３】
［第２の実施の形態］
次に、第２の実施の形態の発光パネルについて、図１１を参照して説明する。この第２の実施の形態は、出光面４０の構成が第１の実施の形態とは異なっており、その他の構成は第１の実施の形態と同一である。
第2の実施の形態の出光面４０は、図１１に示すように、開口部Ａｐの代わりに、Ｙ軸方向に延びる多数のスリットＳＬを備える。そして、このスリットＳＬの幅や配列ピッチを配置位置によって異ならせることにより、スリットＳＬの開口率を変化させ、これにより出光面４０の透過率が、少なくとも第２領域Ｒ２において徐々に減少するようにしている。この構成によれば、第１の実施の形態と同等の効果を得ることができる。
【００３４】
［第３の実施の形態］
次に、第３の実施の形態の発光パネルについて、図１２を参照して説明する。この第３の実施の形態は、出光面４０の構成が第１の実施の形態とは異なっており、その他の構成は第１の実施の形態と同一である。
この第３の実施の形態の出光面４０は、前述の実施の形態とは異なり、透明な基板、例えばガラス基板４１を備え、そのガラス基板４１上に、多数の遮光部Ｓｈを備えている。遮光部Ｓｈは、その裏面（内側の面）において、所定値以上の反射率を有する。
そして、単位面積当たりの遮光部Ｓｈの占有面積を変化させることにより、出光面４０の透過率を変化させている。この図では非遮光部の中に遮光部Ｓｈが島状に並べられているが、逆に遮光部の中に非遮光部が島状に並べられていてもよく、両者の混合であってもよい。
【００３５】
以上、本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
例えば、上記の実施の形態では、矩形状のケースの上板のみを、開口部を有する出光面とする例を説明したが、本発明はこれに限定されるものではなく、出光面は複数面に設けることも可能である。
以上、本体部が中空の場合を説明したが、本体部の内側にアクリル樹脂などの透明体が設けられていてもよい。出光面は、この透明体から離して設けられていてもよく、また表面に直接設けられていてもよい。
出光面は、非遮光部と遮光部の組み合わせで説明したが、透過率の異なる二種類以上の領域の組合せでもよい。たとえば、透過率が２０％と８０％の膜をパターニングしてもよい。また、一種類の材料による膜の厚みを変えることにより透過率を変えてもよい。例えばグレイのインクを厚みを変えて印刷してもよい。
【符号の説明】
【００３６】
１０…発光パネル、２０…本体部、２１…左側板、２２…右側板、２３…後部側板、２４…底板、３０…光源部、３１…プリント基板、４０…出光面、４１…ガラス基板、Ａｐ…開口部、３２…発光ダイオード、Ｐ…ピーク、Ｒ１…第１領域、Ｒ２…第２領域、Ｒｍ…中間領域、ＳＬ…スリット、Ｓｈ…遮光部。
【図１】
2019067553.tif 000003
【図２】
2019067553.tif 000004
【図３】
2019067553.tif 000005
【図４】
2019067553.tif 000006
【図５】
2019067553.tif 000007
【図６】
2019067553.tif 000008
【図７】
2019067553.tif 000009
【図８】
2019067553.tif 000010
【図９】
2019067553.tif 000011
【図１０】
2019067553.tif 000012
【図１１】
2019067553.tif 000013
【図１２】
2019067553.tif 000014